(57)【要約】【課題】必要に応じて日除け垂れを展開して首筋や頬などの日焼けを防止するとともに、不使用時には、日除け垂れを折り畳んでファッション性を損なうことなく保管する。【解決手段】帽子１を構成するクラウン２の下端縁後部に左右各端部を除いて日除け垂れ４が一体に縫製され、また、日除け垂れ４の左右各端部上端縁に複数個のスタッド５１が設けられ、目庇３の裏面周縁部に、日除け垂れ４に設けたスタッド５１にそれぞれ着脱自在なソケット６１が設けられ、さらに、クラウン２の外面後部に、折り畳まれた日除け垂れ４の収納部２Ａが設けられる。このため、日除け垂れ４のスタッド５１を目庇３のソケット６１に装着することにより、クラウン２の後半部から前方にかけて日除け垂れ４を垂設して日差しを遮る一方、目庇３のソケット６１から日除け垂れ４のスタッド５１を離脱させた後、日除け垂れ４を小さく折り畳んでクラウン２の収納部２Ａに収納する。【選択図】図１
0003125153.tif 000002
【実用新案登録請求の範囲】
【請求項１】
クラウンおよび該クラウンの下端縁略前半部に内周縁部が縫製された目庇からなる帽子において、クラウンの下端縁後部に左右各端部を除く日除け垂れの中央部上端縁が縫製され、また、日除け垂れの左右各端部上端縁に少なくとも１個の留め具が設けられるとともに、日除け垂れに設けた留め具に対応して、目庇の裏面側周縁部に、日除け垂れの留め具とそれぞれ着脱自在な被留め具が設けられ、さらに、クラウンの外面側後部に、折り畳まれた日除け垂れの収納部を有することを特徴とする帽子。
【考案の詳細な説明】
【技術分野】
【０００１】
この考案は、帽子、特に、日除け垂れを備えた帽子に関するものである。
【背景技術】
【０００２】
一般に、屋外でのスポーツなどに際しては、頭部を覆って寒さや暑さから守るため、帽子を着用するようにしている。
【０００３】
このような帽子において、紫外線の悪影響を防止するため、帽子本体の後方周縁部に太陽光線（紫外線）を遮蔽する日除けを設けた考案が提案されている（例えば、特許文献１参照）。
【０００４】
また、このような日除けを設けた帽子において、日除けを帽子本体に対して着脱自在とした考案も知られている（例えば、特許文献２参照）。
【特許文献１】特開２００２−２７５７２２号公報
【特許文献１】実用新案登録第３１０３５９５号公報
【考案の開示】
【考案が解決しようとする課題】
【０００５】
ところで、前述した帽子にあっては、後頭部、特に、首筋を直射日光から保護することができる。しかしながら、特許文献１の帽子にあっては、帽子本体に対して日除けが固定されているため、夏季はともかく、紫外線が弱い冬季において使用することには違和感がある。特に、女性にとっては、紫外線による日焼け防止という美容上の観点に加えて、ファッション性も選択肢となることから、季節にそぐわない帽子を着用することに強い抵抗がある。
【０００６】
一方、特許文献２の帽子にあっては、必要に応じて日除けを帽子本体に対して着脱することができ、季節感およびファッシャン性に配慮することができるものの、帽子本体から日除けを取り外した場合、日除けを紛失しないように保管する必要がある。すなわち、日除けを離脱させ、その保管場所を失念した場合、必要とするときに使用できないことが発生する。
【０００７】
本考案は、このような問題点に鑑みてなされたもので、必要に応じて日除け垂れを展開して首筋の日焼けを防止することができ、また、不使用時には、日除け垂れを折り畳んでファッション性を損なうことなく保管することのできる帽子を提供するものである。
【課題を解決するための手段】
【０００８】
本考案は、クラウンおよび該クラウンの下端縁略前半部に内周縁部が縫製された目庇からなる帽子において、クラウンの下端縁後部に左右各端部を除く日除け垂れの中央部上端縁が一体に縫製され、また、日除け垂れの左右各端部上端縁に少なくとも１個の留め具が設けられるとともに、日除け垂れに設けた留め具に対応して、目庇の裏面側周縁部に、日除け垂れの留め具とそれぞれ着脱自在な被留め具が設けられ、さらに、クラウンの外面側後部に、折り畳まれた日除け垂れの収納部を有することを特徴とするものである。
【０００９】
本考案によれば、日差しの強いときには、日除け垂れの左右各端部に設けた留め具を、目庇に設けた被留め具に装着することにより、クラウンの後部から目庇にかけて日除け垂れを垂設することができる。このため、垂設された日除け垂れによって、側頭部、後頭部および首筋を覆って日差しを遮ることができ、首筋や頬などの日焼けを防止することができる。
【００１０】
一方、日除け垂れを必要としないときには、目庇の被留め具から日除け垂れの留め具をそれぞれ離脱させた後、日除け垂れの左右各端部をそれぞれ内方に折り返すとともに、縦方向に折り込むことにより、日除け垂れを小さく折り畳んでクラウンの下端縁後部に沿わせることができる。次いで、折り畳まれた日除け垂れをクラウンの外面側後部に設けた収納部に収納することにより、人目に付きにくいクラウンの後部に保管することができる。
【００１１】
この結果、日除け垂れは、その中央部がクラウンに縫製されているため、紛失することがなく、必要に応じて日差しを遮る位置に簡単に展開することができる。また、不使用時には、折り畳んでクラウンの後部に設けた収納部に収納されるため、人目につくことがなく、帽子の見栄えを損なうことがない。
【００１２】
本考案において、留め具および被留め具としては、スタッドとソケットからなるスナップやボタンとボタンリングなどを挙げることができる。
【考案の効果】
【００１３】
本考案によれば、必要に応じて日除け垂れを展開して頬や首筋の日焼けを防止することができ、また、不使用時には、日除け垂れを折り畳んでファッション性を損なうことなく保管することができる。
【考案を実施するための最良の形態】
【００１４】
以下、本考案の実施の形態を図面に基づいて説明する。
【００１５】
図１には、本考案の帽子１の一実施形態が示されている。
【００１６】
この帽子１は、ほぼ有底円筒状のクラウン２および該クラウン２の下端縁略前半部に内周縁が縫製された目庇３と、クラウン２の下端縁後部に左右各端部を除く中央部上端縁が縫製された日除け垂れ４と、から構成されている。
【００１７】
日除け垂れ４は、後頭部から首筋を越える部位を覆う縦寸法と、両耳を覆うとともにさらに前方に延出された横寸法からなる大きさのほぼ方形に形成されており、その横寸法のほぼ１／３ずつの左右各端部を除く中央部上端縁がクラウン２の下端縁後部に縫製されている。そして、日除け垂れ４の左右各端部には、複数個の留め具５、具体的には、スナップを構成するスタッド５１が設けられ、また、該スタッド５１に対応して、目庇３の裏面周縁部には被留め具６、具体的には、スナップを構成するソケット６１が設けられており、これらのスタッド５１をソケット６１に対して着脱することができる。
【００１８】
一方、クラウン２の外面側後部には、日除け垂れ４の収納部２Ａが設けられている。この収納部２Ａは、日除け垂れ４の、クラウン２に縫製された中央部の長さよりも若干大きな横寸法と、クラウン２の高さの範囲内の縦寸法からなる方形のポケット布７の左右各端縁および上端縁をクラウン２に縫製して形成されたポケットであって、クラウン２の柄模様と同一の柄模様を有している。
【００１９】
次に、このように構成された帽子１の使用方法について説明する。
【００２０】
まず、夏期などのように、日差しが強いときには、クラウン２に設けられた収納部２Ａから収納された日除け垂れ４を引き出し、その左右各端部の外面側上端縁に設けられたスタッド５１をそれぞれ目庇３の裏面周縁部に設けられたソケット６１に装着した後、目庇３を把握してクラウン３を頭部に被せればよい。このとき、日除け垂れ４は、その中央部がクラウン２に予め縫製されるとともに、左右各端部がスタッド５１およびソケット６１を介して目庇３に連結されることから、首筋を含む後頭部および側頭部にわたって展開されて下方に垂下される。したがって、首筋を含む後頭部および側頭部に対する日差しを日除け垂れ４によって遮ることができ、首筋や頬の日焼けを防止することができるとともに、目に入る日差しを目庇３によって抑えることができる。
【００２１】
一方、冬季などの日差しが強くないにときには、日除け垂れ４をクラウン２の収納部２Ａに収納する。すなわち、目庇３のソケット６１から日除け垂れ４のスタッド５１を離脱させた後、日除け垂れ４の左右各端部をそれぞれ内方に折り込み、次いで、縦方向にも複数回折り込み、小さな方形状に折り畳む（図２および図３参照）。そして、折り畳まれた日除け垂れ４をクラウン２に対する縫製部分を中心として折り返し、クラウン２の外面側後部に設けた収納部２Ａ、すなわち、ポケット布７によって形成されたポケット内に差し込むことにより、収納することができる（図４参照）。
【００２２】
したがって、日除け垂れ４は、クラウン２の後部の人目につきにくい位置に折り畳まれて収納されるとともに、クラウン２と同じ柄模様のポケット布７によって覆われているため、帽子１の見栄えやファッション性を損なうことがない。
【００２３】
なお、前述した実施形態においては、日除け垂れ４の左右各端部にスタッド５１を、目庇３にソケット６１をそれぞれ設けた場合を例示したが、留め具５および被留め具６としては、ボタンとボタンリング、ボタンホールなどであってもよい。
【００２４】
また、日除け垂れ４の収納部２Ａとして、クラウン２の外面後部にポケット布７の周縁部を縫製して形成されたポケットを例示したが、クラウン２に面ファスナーを設けるとともに、この面ファスナーと付着可能な面ファスナーを設けたポケット布７で収納部２Ａを形成してもよい。
【図面の簡単な説明】
【００２５】
【図１】本考案の帽子の一実施形態を示す斜視図である。
【図２】図１の帽子の日除け垂れの収納要領を説明する斜視図である。
【図３】図１の防止の日除け垂れの収納要領を説明する斜視図である。
【図４】図１の防止の日除け垂れの収納状態を説明する斜視図である。
【符号の説明】
【００２６】
１  帽子
２  クラウン
２Ａ  収納部
３  目庇
４  日除け垂れ
５  留め具
５１  スタッド
６  被留め具
６１  ソケット
７  ポケット布
【図１】
0003125153.tif 000003
【図２】
0003125153.tif 000004
【図３】
0003125153.tif 000005
【図４】
0003125153.tif 000006